(57)【要約】【課題】  清掃を行い易くすることができ、かつ違和感が無いようにすることのできる建設機械用フロアマット及び建設機械を提供する。【解決手段】  建設機械の操作部３に設けられた操作用シート１１の前側に敷設される建設機械用フロアマット２１において、操作用シート１１から距離をおいて前側に離れた領域であって、足操作部材としてのスイングペダル１３及びオプションペダル１４が設けられた足操作領域である前側フロアマット２３が、前側を低くした傾斜面となっている。【選択図】      図４
2005104217.tif 000002
【特許請求の範囲】
【請求項１】
建設機械の操作部に設けられた操作用シートの前側に敷設される建設機械用フロアマットにおいて、
該操作用シートから距離をおいて前側に離れた領域であって、少なくとも足操作部材が設けられた足操作領域の上面が、前側を低くした傾斜面となっていることを特徴とする建設機械用フロアマット。
【請求項２】
請求項１に記載の建設機械用フロアマットにおいて、前記足操作領域の前端に水を左右方向に案内する堰が設けられていることを特徴とする建設機械用フロアマット。
【請求項３】
請求項１又は２に記載の建設機械用フロアマットにおいて、前記足操作領域と前記シートとの間の領域の上面がほぼ水平な面となっていることを特徴とする建設機械用フロアマット。
【請求項４】
請求項１乃至３のいずれかに記載の建設機械用フロアマットにおいて、前記ほぼ水平な面が、前記シートの横側の操作部昇降箇所にまで繋がっていることを特徴とする建設機械用フロアマット。
【請求項５】
操作部に設けられた操作用シートの前側に敷設されるフロアマットを有する建設機械において、
上記フロアマットが、請求項１乃至４のいずれかに記載の建設機械用フロアマットであることを特徴とする建設機械。
【発明の詳細な説明】
【技術分野】
【０００１】
本発明は、油圧ショベル等の建設機械のフロアボード上に敷設される建設機械用フロアマット及びそのフロアマットを有する建設機械に関する。
【背景技術】
【０００２】
上述した建設機械用フロアマットとして、従来、図６に示すものが知られている。このフロアマット１００は、フロアボード１０１の上に設けられ、シート１０２の前側全域がほぼ平坦平面になっていて、走行レバー１０３や足操作用ペダル１０４等が設けられた部分には、これらを上方に突出させるための挿通孔の周囲を上側に折り曲げた突出部１０５が形成されている。
【０００３】
ところで、建設機械の操作部においては、泥などで汚れ易いため水を用いて清掃しているが、上記フロアマットの場合には、上記突出部１０５が清掃用の水や泥などの通流を邪魔し、清掃を行い難いという欠点があった。
【０００４】
そこで、清掃用の水や泥などをスムーズに通流させて外部に排出するように、操作部へ昇降するために設けられたドア近傍のフロアマット部分、つまり昇降部分を、ドアに近づく程低くなるように傾斜させたものが提案されている（特許文献１等参照）。
【特許文献１】特開２００２−３２１５５７号公報
【発明の開示】
【発明が解決しようとする課題】
【０００５】
しかしながら、上記特許文献１による場合には、フロアマットの昇降部分が傾斜しているため、オペレータが乗り込むとき或いは降りるときに傾斜した昇降部分に足を載せると違和感があり、改善の余地が残っていた。
【０００６】
本発明は、このような従来技術の課題を解決するためになされたもので、清掃を行い易くすることができ、かつ違和感が無いようにすることのできる建設機械用フロアマット及び建設機械を提供することを目的とする。
【課題を解決するための手段】
【０００７】
本発明の請求項１の建設機械用フロアマットは、建設機械の操作部に設けられた操作用シートの前側に敷設される建設機械用フロアマットにおいて、該操作用シートから距離をおいて前側に離れた領域であって、少なくとも足操作部材が設けられた足操作領域の上面が、前側を低くした傾斜面となっていることを特徴とする。
【０００８】
本発明の請求項２の建設機械用フロアマットは、請求項１に記載の建設機械用フロアマットにおいて、前記足操作領域の前端に水を左右方向に案内する堰が設けられていることを特徴とする。
【０００９】
本発明の請求項３の建設機械用フロアマットは、請求項１又は２に記載の建設機械用フロアマットにおいて、前記足操作領域と前記シートとの間の領域の上面がほぼ水平な面となっていることを特徴とする。
【００１０】
本発明の請求項４の建設機械用フロアマットは、請求項１乃至３のいずれかに記載の建設機械用フロアマットにおいて、前記ほぼ水平な面が、前記シートの横側の操作部昇降箇所にまで繋がっていることを特徴とする。
【００１１】
本発明の請求項５の建設機械は、操作部に設けられた操作用シートの前側に敷設されるフロアマットを有する建設機械において、上記フロアマットが、請求項１乃至４のいずれかに記載の建設機械用フロアマットであることを特徴とする。
【発明の効果】
【００１２】
請求項１又は５の発明による場合には、操作部の操作用シートから距離をおいて前側に離れた足操作領域が、前側を低くした傾斜面となっているので、水はけ性が向上し、突出部の有無に拘わらず清掃を行い易くすることができる。また、足操作部材が設けられた足操作領域は、足操作するために踵を支点として足を動かす領域であり、また足操作部材が複数存在していても、各足操作部材の間での足移動が足をフロアマットから浮かした状態で行うため、足操作領域が傾斜面となっていても違和感が無いようにすることができる。
【００１３】
また、請求項２の発明による場合には、足操作領域の前端に設けた堰が水を左右方向に案内するので、堰の形態によりフロアマットの前側における任意の位置から水や泥などを外部に排出させることが可能となる。
【００１４】
また、請求項３の発明による場合には、足置き場として通常用いられる足操作領域とシートとの間がほぼ水平な面となっているので、シートに座ったオペレータが足を足操作領域とシートとの間に置いても違和感が無いようにすることができる。なお、ほぼ水平な面には、滑り止め用の突起が形成されることがある。
【００１５】
また、請求項４の発明による場合には、操作部への昇降箇所がほぼ水平な面となっているので、オペレータが出入りするときに昇降箇所に足を載せても違和感が無いようにすることができる。
【発明を実施するための最良の形態】
【００１６】
以下に、本発明を具体的に説明する。
【００１７】
図１は、本発明の建設機械用フロアマットを適用したショベルを示す正面図であり、図２はその平面図、図３は本発明の要部であるフロアマットを有する操作部を示す外観斜視図、図４は本発明の要部であるフロアマットを示す正面断面図である。
【００１８】
このショベルは、下部走行車１の上に上部旋回体２が設けられ、上部旋回体２の上には操作用シート１１を有する操作部３が設けられ、操作部３の前側には作業アタッチメント４が設けられた構成である。上記作業アタッチメント４は、ブーム４ａと、図示を省略するが、そのブーム４ａの先端部に接続されるアームと、そのアームの先端部に接続されるバケットとから構成される。
【００１９】
操作部３のほぼ中央には、前記シート１１が配置されており、その前側には走行レバー１２、ブーム４ａを左右方向にスイング操作するためのスイングペダル１３、ブレーカや排土板等のオプション装置を操作するためのオプションペダル１４等が配置されている。走行レバー１２は手で操作するものであり、スイングペダル１３及びオプションペダル１４は足で操作を行う足操作部材である。
【００２０】
操作部３の床は、図４に示すように、フロアボード２０と、そのフロアボード２０の上に取付けられるフロアマット２１とを有する。フロアボード２０は、上部旋回体２のフレームに、ほぼ水平となるように取付けられている。フロアマット２１は、図３及び図４に示すようにシート１１寄りの後側フロアマット２２と、シート１１から離れた前側フロアマット２３とに２分割されており、これら後側フロアマット２２及び前側フロアマット２３は共に、例えばゴム材料、ウレタン樹脂材料等の弾性樹脂材料からなる。
【００２１】
前側フロアマット２３は、スイングペダル１３等の足で操作される足操作領域に対応するほぼ台形状に形成されている。後側フロアマット２２は、シート１１の前側から左側にわたる領域に対応し、かつ前側には概略Ｌ字状をした切欠部２２ａを有する形状に形成され、その切欠部２２ａには前側フロアマット２３が入込むようになっている。また、後側フロアマット２２におけるシート横側の左側端部２２ｅが昇降箇所であり、その近傍には手摺１５が設けられている（図１及び図２参照）。
【００２２】
後側フロアマット２２は、その上面がフロアボード２０と平行であってほぼ水平になるように形成されている。具体的には、図３に示すように上面２２ｂには滑り止め用の突起２２ｃが多数同一高さに形成され、上面２２ｂの下側には図４（突起２２ｃを省略）に示すように全域にわたり格子状のリブ２２ｄが形成されており、上面２２ｂの突起２２ｃが形成されていない部分が、フロアボード２０と平行であってほぼ水平になるように形成されている。
【００２３】
一方の前側フロアマット２３には、開口部２４ａ、２４ｂ及び２４ｃが形成されているとともに、各開口部２４ａ〜２４ｃの周囲には従来と同様に突出部２５ａ、２５ｂ及び２５ｃが形成されている。開口部２４ａはスイングペダル１３を設けるためのもので、開口部２４ｂは走行レバー１２を設けるためのもので、開口部２４ｃはオプションペダル１４を設けるためのものである。また、前側フロアマット２３の上面２３ａは、後側高さを後側フロアマット２２と同一高さに、前側高さを後側フロアマット２２よりも低くなるように形成されている。具体的には、上面２３ａの下側には、図４に示すように全域にわたり格子状のリブ２３ｃが形成されており、リブ２３ｃの高さを調整することにより、上面２３ａの開口部２４ａ〜２４ｃが形成されていない部分が、後側高さを後側フロアマット２２と同一高さ、前側高さを後側フロアマット２２よりも低くした、水平面に対して５゜〜１０゜の範囲内にある所定角度の傾斜面として形成されている。この傾斜角度の範囲については、後述する。なお、後側フロアマット２２における上記左側端部２２ｅの前側部分２２ｆは、前側フロアマット２３の端縁に対して急な段差となるのを防止して緩やかにするために、切欠部２２ａ側を低くした傾斜面としている。
【００２４】
上記前側フロアマット２３及び後側フロアマット２２は、図４に示すようにフロアボード２０の上に取付けられる。このフロアボード２０にも、前記開口部２４ａ〜２４ｃに対応する３箇所に開口部２０ａが形成されている。そして、フロアボード２０の上に前側フロアマット２３が取付けられた状態で、開口部２０ａ及び２４ａにはスイングペダル１３がその支持部材を挿通する状態で取付けられ、開口部２０ａ及び２４ｂには走行レバー１２がその支持部材を挿通する状態で取付けられ、開口部２０ａ及び２４ｃにはオプションペダル１４がその支持部材を挿通する状態で取付けられている。
【００２５】
したがって、本実施形態による場合には、図４に示すように足操作領域に相当する前側フロアマット２３が、前側を低くした傾斜面となっているので、水はけ性が向上し、突出部２５ａ〜２５ｃが有っても清掃を行い易くすることができる。また、足操作部材が設けられた前側フロアマット２３は、足操作するために踵を支点として足を動かす領域であり、また足操作部材が複数存在していても、各足操作部材の間での足移動が足を前側フロアマット２３から浮かした状態で行うため、前側フロアマット２３が傾斜面となっていても違和感が無いようにすることができる。
【００２６】
また、足置き場として通常用いられる、前側フロアマット２３とシート１１との間の後側フロアマット２２がほぼ水平な面となっているので、シート１１に座ったオペレータが足をほぼ水平な後側フロアマット２２に置いても違和感が無いようにすることができる。また、操作部３への昇降箇所、つまり後側フロアマット２２の左側端部２２ｅがほぼ水平な面となっているので、オペレータが出入りするときに昇降箇所２２ｅに足を載せても違和感が無いようにすることができる。
【００２７】
また、前記前側フロアマット２３の傾斜角度の範囲については、上述したように水平面に対して５゜以上１０゜以下に設定されている。その理由は、傾斜面を５゜より下に設定した場合には、水はけ性が悪化するからである。一方、傾斜面を１０゜より大きくした場合には、例えば足操作部材（スイングペダル１３及びオプションペダル１４）の非操作時に足操作部材間に足を載せた場合に違和感が生じるからである。
【００２８】
図５（ａ）は、本発明の他の実施形態に係る建設機械用フロアマットを示す外観斜視図であり、同（ｂ）はその正面断面図である。なお、図１〜図４と同一番号を付した箇所は、同一部材である。
【００２９】
このフロアマット３０は、２分割された後側フロアマット３１と足操作領域に相当する前側フロアマット３２とを有し、前側フロアマット３２の前端に水を左右方向に案内する堰３３が設けられ、フロアマット３０の右縁部には、上記堰３３と連結した状態で縦壁３０ａが設けられている。上記堰３３は、盛り上がった状態となっていれば、別部材を取付けても、或いは一体成形により形成してもよい。
【００３０】
このフロアマット３０による場合には、堰３３が縦壁３０ａと連結されているため、水をオペレータ側から見て昇降側の左方向に案内し、堰３３の端から水や泥などを外部に排出させることが可能となる。これにより、本実施形態においては、外部に排出した水や泥などが操作部３の前側に設けられた作業アタッチメント４にかからないようにすることが可能となる。なお、図５の実施形態では堰３３を縦壁３０ａと連結した状態で形成しているが、本発明はこれに限らず、堰３３を縦壁３０ａと分離した状態で形成してもよい。この場合には、堰３３が水をオペレータ側から見て左右の両方向に案内するため、堰３３の両端から水や泥などを外部に排出させることが可能となる。
【００３１】
なお、上述した実施形態では建設機械用フロアマットをショベルに適用しているが、本発明はこれに限らず、他の建設機械にも同様に適用することができる。
【００３２】
また、上述した実施形態ではフロアマットを、後側フロアマットと前側フロアマットに２分割した構成としているが、本発明はこれに限らない。例えば、フロアマットが一体に作製されていても、或いは３分割又は４分割以上で分割した構成であってもよく、要は、前側の足操作領域を傾斜させたものであればよい。
【図面の簡単な説明】
【００３３】
【図１】本発明の建設機械用フロアマットを適用したショベルを示す正面図である。
【図２】図１の平面図である。
【図３】図１の建設機械用フロアマットを有する操作部を示す外観斜視図である。
【図４】図３のフロアマットを示す正面断面図である。
【図５】（ａ）は本発明の他の実施形態に係る建設機械用フロアマットを示す外観斜視図、（ｂ）はその正面断面図である。
【図６】従来の建設機械用フロアマットを示す正面断面図である。
【符号の説明】
【００３４】
３  操作部
１１  操作用シート
１３  スイングペダル
１４  オプションペダル
２０  フロアボード
２１  フロアマット
２２  後側フロアマット
２２ｅ  昇降箇所（左側端部）
２３  前側フロアマット（足操作領域）
３０  フロアマット
３３  堰
【図１】
2005104217.tif 000003
【図２】
2005104217.tif 000004
【図３】
2005104217.tif 000005
【図４】
2005104217.tif 000006
【図５】
2005104217.tif 000007
【図６】
2005104217.tif 000008